(57)【要約】【課題】１枚のブランクと透明フィルムとを使用した陳列可能な包装体であって、側端部の隙間からの出し入れが困難な包装体を提供すること。【解決手段】ブランク１００Ａの台紙本体１１１に内容物Ｂを載置し、この内容物Ｂを透明フィルムＣで被覆し、その左右端を左側折り曲げ片１１２及び右側折り曲げ片１１３に固定する。そして、ブランク１００Ａを折り曲げて、透明フィルムＣの両側端を保護する。この保護を解かない限り、ブランク１００Ａと透明フィルムＣとの隙間から異物を混入したり、内容物Ｂを不正に取り出すことができない。【選択図】図１
2020093811.tif 000002
【特許請求の範囲】
【請求項１】
ブランクと透明フィルムとで内容物を包装した包装体であって、
このブランクが台紙領域、第二面側折り重ね領域及び端部保護領域を有しており、
この台紙領域がその一方の面（以下「第一面側」という）に内容物を載置する台紙本体と、この台紙本体の左右に折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ左側折り曲げ片及び右側折り曲げ片に固定されており、
前記台紙本体と左側折り曲げ片との間の折り曲げ罫線で折り曲げられ、かつ、前記台紙本体と右側折り曲げ片との間の折り曲げ罫線で折り曲げられて、これら左側折り曲げ片及び右側折り曲げ片が台紙本体の前記第一面側の反対側の面（以下「第二面側」という）に密着して又は隙間を介してこれに重ねられており、
こうして台紙本体の第二面側に重ねられた左側折り曲げ片及び右側折り曲げ片の上に前記第二面側折り重ね領域が重ねられており、
一方、前記透明フィルムの前後側端に位置する隙間に包装体の外部から触れることができないように、この透明フィルムの前後側端を前記端部保護領域で保護しており、
かつ、これら台紙領域、第二面側折り重ね領域及び端部保護領域が、折り曲げ罫線を介して、一定方向に向かってこの順に連接されていることを特徴とする包装体。
【請求項２】
前記ブランクが吊り下げ孔を有することを特徴とする請求項１に記載の包装体。
【請求項３】
ブランクと透明フィルムとで内容物を包装した包装体であって、
このブランクが台紙領域、第二面側折り重ね領域及び端部保護領域を有しており、これら台紙領域、第二面側折り重ね領域及び端部保護領域は、それぞれ、折り曲げ罫線を介して、一定方向に向かってこの順に連接されており、
この台紙領域がその一方の面（以下「第一面側」という）に内容物を載置する台紙本体と、この台紙本体の左右にそれぞれ折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ左側折り曲げ片及び右側折り曲げ片に固定されており、
前記台紙本体と左側折り曲げ片との間の折り曲げ罫線で折り曲げられ、かつ、前記台紙本体と右側折り曲げ片との間の折り曲げ罫線で折り曲げられて、これら左側折り曲げ片及び右側折り曲げ片が台紙本体の前記第一面側の反対側の面（以下「第二面側」という）に密着して又は隙間を介してこれに重ねられており、
台紙本体と第二面側折り重ね領域との間の折り曲げ罫線で折り曲げられて、台紙本体の第二面側に重ねられた左側折り曲げ片及び右側折り曲げ片の上に前記第二面側折り重ね領域が重ねられており、
前記固定領域端部保護領域に観察用窓が設けられており、
第二面側折り重ね領域と端部保護領域との間の折り曲げ罫線で折り曲げられて、前記端部保護領域が台紙本体上の前記透明フィルムに重ねられ、この端部保護領域と透明フィルムとを通して内容物が観察でき、一方、透明フィルム側端がこの端部保護領域で覆われており、
かつ、この端部保護領域が台紙本体に固定されていることを特徴とする包装体。
【請求項４】
ブランクと２枚の透明フィルムとで２つの内容物を包装した包装体であって、
このブランクが第２の台紙領域、第１の台紙領域、第二面側折り重ね領域及び端部保護領域を有しており、これら第２の台紙領域、第１の台紙領域、第二面側折り重ね領域及び
端部保護領域は、それぞれ、折り曲げ罫線を介して、一定方向に向かってこの順に連接されており、
第１の台紙領域がその一方の面（以下「第一面側」という）に内容物を載置する第１の台紙本体と、この第１の台紙本体の左右にそれぞれ折り曲げ罫線を介して連接された２つの第１の折り曲げ片とを備えて構成されており、
第１の台紙本体の第一面側に内容物が載置されており、この内容物を透明フィルムが被覆し、この透明フィルムの左右端がそれぞれ第１の左側折り曲げ片及び右側折り曲げ片に固定されており、
第１の前記台紙本体と第１の左側折り曲げ片との間の折り曲げ罫線で折り曲げられ、かつ、第１の前記台紙本体と第１の右側折り曲げ片との間の折り曲げ罫線で折り曲げられて、これら第１の左側折り曲げ片及び右側折り曲げ片が第１の台紙本体の前記第一面側の反対側の面（以下「第二面側」という）に密着して又は隙間を介してこれに重ねられており、
第２の台紙領域がその一方の面（以下「第一面側」という）に内容物を載置する第２の台紙本体と、この第２の台紙本体の左右にそれぞれ折り曲げ罫線を介して連接された２つの第２の折り曲げ片とを備えて構成されており、
第２の台紙本体の第一面側に内容物が載置されており、この内容物を透明フィルムが被覆し、この透明フィルムの左右端がそれぞれ第２の左側折り曲げ片及び右側折り曲げ片に固定されており、
第２の前記台紙本体と第２の左側折り曲げ片との間の折り曲げ罫線で折り曲げられ、かつ、第２の前記台紙本体と第２の右側折り曲げ片との間の折り曲げ罫線で折り曲げられて、これら第２の左側折り曲げ片及び右側折り曲げ片が第２の台紙本体の前記第一面側の反対側の面（以下「第二面側」という）に密着して又は隙間を介してこれに重ねられており、
前記第１の台紙本体と第２の台紙本体との間の折り曲げ罫線で折り曲げられて、第１の台紙本体の第２面と第２の台紙本体の第２面とが重ね合わせされており、
前記第二面側折り重ね領域に観察用窓が設けられており、
第１の台紙本体と第二面側折り重ね領域との間の折り曲げ罫線で折り曲げられて、台紙本体の第二面側に重ねられた第２の台紙本体の上に前記第二面側折り重ね領域が重ねられて、第二面側折り重ね領域の観察用窓によって内容物が透視でき、しかも、この観察用窓の周囲で透明フィルムの両側端に重ねられており、
前記固定領域端部保護領域に観察用窓が設けられており、
第二面側折り重ね領域と端部保護領域との間の折り曲げ罫線で折り曲げ、端部保護領域が第１の台紙本体の上に重ねられて、固定領域端部保護領域の観察用窓によって内容物が透視でき、しかも、この観察用窓の周囲で透明フィルムの両側端に重ねられており、
かつ、この端部保護領域が第１の台紙本体に固定されていることを特徴とする包装体。
【請求項５】
ブランクと透明フィルムとで内容物を包装した包装体であって、
このブランクが台紙領域、第二面側折り重ね領域及び端部保護領域を有しており、これら台紙領域、第二面側折り重ね領域及び端部保護領域は、それぞれ、折り曲げ罫線を介して、一定方向に向かってこの順に連接されており、
この台紙領域がその一方の面（以下「第一面側」という）に内容物を載置する台紙本体と、この台紙本体の左右にそれぞれ折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ左側折り曲げ片及び右側折り曲げ片に固定されており、
前記台紙本体と左側折り曲げ片との間の折り曲げ罫線で折り曲げられ、かつ、前記台紙本体と右側折り曲げ片との間の折り曲げ罫線で折り曲げられて、これら左側折り曲げ片及
び右側折り曲げ片が台紙本体の前記第一面側の反対側の面（以下「第二面側」という）に密着して又は隙間を介してこれに重ねられており、
台紙本体と第二面側折り重ね領域との間の折り曲げ罫線で折り曲げられて、台紙本体の第二面側に重ねられた左側折り曲げ片及び右側折り曲げ片の上に前記第二面側折り重ね領域が重ねられており、
前記固定領域端部保護領域が、箱体を構成する前側側面板、後側側面板及び左右の側面板及び天面板を有しており、
この天面板に観察用窓が設けられており、
前記台紙本体を底部、天面板を天部として前記固定領域端部保護領域が箱体に組み立てられていることを特徴とする包装体。
【請求項６】
前記箱体に吊り下げ孔が設けられていることを特徴とする請求項５に記載の包装体。
【請求項７】
前記箱体から外部に突出した突出区域を有しており、この突出区域に吊り下げ孔が設けられていることを特徴とする請求項５に記載の包装体。
【発明の詳細な説明】
【技術分野】
【０００１】
本発明は、台紙と透明フィルムとを利用して内容物を固定保持した包装体に関する。
【背景技術】
【０００２】
台紙に透明フィルムを重ね、透明フィルムの両端を台紙に接着すると共に、これら台紙と透明フィルムとの間に固体内容物を介在させ、透明フィルムの張力を利用してこの固体内容物を固定した包装体は古くから知られている。
【０００３】
この包装体６０Ｂは図３２（ｄ）に示すような構造を有している。説明の便宜上、その製造工程に沿って説明すると、この包装体では、まず、図３２（ａ）に示すような台紙６０Ａを使用する。この台紙６０Ａは、その中央を台紙本体６１とし、その左右に折り曲げ罫線６０ａ，６０ｂを介して折り曲げ片６２，６３を連接したものである。
【０００４】
また、この包装体では、固体内容物Ｂに加えて透明フィルムＣを使用する。すなわち、まず、固体内容物Ｂを台紙本体６１の第一面側に載置する。そして、この固体内容物Ｂを透明フィルムＣで被覆し、透明フィルムＣの左右両端を折り曲げ片６２，６３に接着する（図３２（ｂ）参照）。なお、図中、Ｄ６２，Ｄ６３はこの固定部を示している。
【０００５】
次に、台紙６０Ａを折り曲げ罫線６０ａ，６０ｂで折り曲げ、折り曲げ片６２，６３を台紙本体６１の第二面側に折り曲げる（図３２（ｃ）参照）。この折り曲げに伴って透明フィルムＣが引き伸ばされてその張力が増加し、固体内容物Ｂが台紙本体６１の第一面側に押し付けられて固定される。
【０００６】
そして、折り曲げ片６２，６３が台紙本体６１の第二面に密着するまで折り曲げることにより、この包装体６０Ｂを製造することができる。
【０００７】
この包装体６０Ｂは、少ない材料で容易に包装でき、また、そのまま店頭に陳列できる点で優れたものであるが、図３２（ｄ）に示すように、その側端部６０Ｘ，６０Ｘでは透明フィルムＣと台紙本体６１との間に隙間があり、このため、異物を混入する等の不正を防止することができない。また、この隙間から固体内容物Ｂを不正に取り出したり、別の内容物と交換する等の不正行為も、その防止が困難である。
【０００８】
一方、この包装体６０Ｂの四周を側壁で囲った構造を有する包装体も公知である（特許文献１）。
【０００９】
しかし、この包装体は、ダンボール箱等の外装箱に収容することを前提とするもので、店頭に陳列することができない。
【先行技術文献】
【特許文献】
【００１０】
【特許文献１】特開２０１６−２２２２６９号公報
【発明の概要】
【発明が解決しようとする課題】
【００１１】
そこで、本発明は、１枚のブランクと透明フィルムとを使用した陳列可能な包装体であって、側端部の隙間からの出し入れが困難な包装体を提供することを目的とする。
【課題を解決するための手段】
【００１２】
すなわち、請求項１に記載の発明は、
ブランクと透明フィルムとで内容物を包装した包装体であって、
このブランクが台紙領域、第二面側折り重ね領域及び端部保護領域を有しており、
この台紙領域がその一方の面（以下「第一面側」という）に内容物を載置する台紙本体と、この台紙本体の左右に折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ左側折り曲げ片及び右側折り曲げ片に固定されており、
前記台紙本体と左側折り曲げ片との間の折り曲げ罫線で折り曲げられ、かつ、前記台紙本体と右側折り曲げ片との間の折り曲げ罫線で折り曲げられて、これら左側折り曲げ片及び右側折り曲げ片が台紙本体の前記第一面側の反対側の面（以下「第二面側」という）に密着して又は隙間を介してこれに重ねられており、
こうして台紙本体の第二面側に重ねられた左側折り曲げ片及び右側折り曲げ片の上に前記第二面側折り重ね領域が重ねられており、
一方、前記透明フィルムの前後側端に位置する隙間に包装体の外部から触れることができないように、この透明フィルムの前後側端を前記端部保護領域で保護しており、
かつ、これら台紙領域、第二面側折り重ね領域及び端部保護領域が、折り曲げ罫線を介して、一定方向に向かってこの順に連接されていることを特徴とする包装体である。
【００１３】
また、請求項２に記載の発明は、前記ブランクが吊り下げ孔を有することを特徴とする請求項１に記載の包装体である。
【００１４】
また、請求項３に記載の発明は、ブランクと透明フィルムとで内容物を包装した包装体であって、
このブランクが台紙領域、第二面側折り重ね領域及び端部保護領域を有しており、これら台紙領域、第二面側折り重ね領域及び端部保護領域は、それぞれ、折り曲げ罫線を介して、一定方向に向かってこの順に連接されており、
この台紙領域がその一方の面（以下「第一面側」という）に内容物を載置する台紙本体と、この台紙本体の左右にそれぞれ折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ左側折り曲げ片及び右側折り曲げ片に固定されており、
前記台紙本体と左側折り曲げ片との間の折り曲げ罫線で折り曲げられ、かつ、前記台紙本体と右側折り曲げ片との間の折り曲げ罫線で折り曲げられて、これら左側折り曲げ片及び右側折り曲げ片が台紙本体の前記第一面側の反対側の面（以下「第二面側」という）に密着して又は隙間を介してこれに重ねられており、
台紙本体と第二面側折り重ね領域との間の折り曲げ罫線で折り曲げられて、台紙本体の第二面側に重ねられた左側折り曲げ片及び右側折り曲げ片の上に前記第二面側折り重ね領域が重ねられており、
前記固定領域端部保護領域に観察用窓が設けられており、
第二面側折り重ね領域と端部保護領域との間の折り曲げ罫線で折り曲げられて、前記端部保護領域が台紙本体上の前記透明フィルムに重ねられ、この端部保護領域と透明フィルムとを通して内容物が観察でき、一方、透明フィルム側端がこの端部保護領域で覆われており、
かつ、この端部保護領域が台紙本体に固定されていることを特徴とする包装体である。
【００１５】
また、請求項４に記載の発明は、
ブランクと２枚の透明フィルムとで２つの内容物を包装した包装体であって、
このブランクが第２の台紙領域、第１の台紙領域、第二面側折り重ね領域及び端部保護領域を有しており、これら第２の台紙領域、第１の台紙領域、第二面側折り重ね領域及び端部保護領域は、それぞれ、折り曲げ罫線を介して、一定方向に向かってこの順に連接されており、
第１の台紙領域がその一方の面（以下「第一面側」という）に内容物を載置する第１の台紙本体と、この第１の台紙本体の左右にそれぞれ折り曲げ罫線を介して連接された２つの第１の折り曲げ片とを備えて構成されており、
第１の台紙本体の第一面側に内容物が載置されており、この内容物を透明フィルムが被覆し、この透明フィルムの左右端がそれぞれ第１の左側折り曲げ片及び右側折り曲げ片に固定されており、
第１の前記台紙本体と第１の左側折り曲げ片との間の折り曲げ罫線で折り曲げられ、かつ、第１の前記台紙本体と第１の右側折り曲げ片との間の折り曲げ罫線で折り曲げられて、これら第１の左側折り曲げ片及び右側折り曲げ片が第１の台紙本体の前記第一面側の反対側の面（以下「第二面側」という）に密着して又は隙間を介してこれに重ねられており、
第２の台紙領域がその一方の面（以下「第一面側」という）に内容物を載置する第２の台紙本体と、この第２の台紙本体の左右にそれぞれ折り曲げ罫線を介して連接された２つの第２の折り曲げ片とを備えて構成されており、
第２の台紙本体の第一面側に内容物が載置されており、この内容物を透明フィルムが被覆し、この透明フィルムの左右端がそれぞれ第２の左側折り曲げ片及び右側折り曲げ片に固定されており、
第２の前記台紙本体と第２の左側折り曲げ片との間の折り曲げ罫線で折り曲げられ、かつ、第２の前記台紙本体と第２の右側折り曲げ片との間の折り曲げ罫線で折り曲げられて、これら第２の左側折り曲げ片及び右側折り曲げ片が第２の台紙本体の前記第一面側の反対側の面（以下「第二面側」という）に密着して又は隙間を介してこれに重ねられており、
前記第１の台紙本体と第２の台紙本体との間の折り曲げ罫線で折り曲げられて、第１の台紙本体の第２面と第２の台紙本体の第２面とが重ね合わせされており、
前記第二面側折り重ね領域に観察用窓が設けられており、
第１の台紙本体と第二面側折り重ね領域との間の折り曲げ罫線で折り曲げられて、台紙本体の第二面側に重ねられた第２の台紙本体の上に前記第二面側折り重ね領域が重ねられて、第二面側折り重ね領域の観察用窓によって内容物が透視でき、しかも、この観察用窓の周囲で透明フィルムの両側端に重ねられており、
前記固定領域端部保護領域に観察用窓が設けられており、
第二面側折り重ね領域と端部保護領域との間の折り曲げ罫線で折り曲げ、端部保護領域が第１の台紙本体の上に重ねられて、固定領域端部保護領域の観察用窓によって内容物が透視でき、しかも、この観察用窓の周囲で透明フィルムの両側端に重ねられており、
かつ、この端部保護領域が第１の台紙本体に固定されていることを特徴とする包装体である。
【００１６】
また、請求項５に記載の発明は、
ブランクと透明フィルムとで内容物を包装した包装体であって、
このブランクが台紙領域、第二面側折り重ね領域及び端部保護領域を有しており、これら台紙領域、第二面側折り重ね領域及び端部保護領域は、それぞれ、折り曲げ罫線を介して、一定方向に向かってこの順に連接されており、
この台紙領域がその一方の面（以下「第一面側」という）に内容物を載置する台紙本体と、この台紙本体の左右にそれぞれ折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ左側折り曲げ片及び右側折り曲げ片に固定されており、
前記台紙本体と左側折り曲げ片との間の折り曲げ罫線で折り曲げられ、かつ、前記台紙本体と右側折り曲げ片との間の折り曲げ罫線で折り曲げられて、これら左側折り曲げ片及び右側折り曲げ片が台紙本体の前記第一面側の反対側の面（以下「第二面側」という）に密着して又は隙間を介してこれに重ねられており、
台紙本体と第二面側折り重ね領域との間の折り曲げ罫線で折り曲げられて、台紙本体の第二面側に重ねられた左側折り曲げ片及び右側折り曲げ片３１３の上に前記第二面側折り重ね領域が重ねられており、
前記固定領域端部保護領域が、箱体を構成する前側側面板、後側側面板及び左右の側面板及び天面板を有しており、
この天面板に観察用窓が設けられており、
前記台紙本体を底部、天面板を天部として前記固定領域端部保護領域が箱体に組み立てられていることを特徴とする包装体包装体である。
【００１７】
また、請求項６に記載の発明は、前記箱体に吊り下げ孔が設けられていることを特徴とする請求項５に記載の包装体である。
【００１８】
また、請求項７に記載の発明は、前記箱体から外部に突出した突出区域を有しており、この突出区域に吊り下げ孔が設けられていることを特徴とする請求項５に記載の包装体である。
【発明の効果】
【００１９】
請求項１〜４に係る包装体においては、透明フィルムの前後側端に位置する隙間に包装体の外部から触れることができないように、この透明フィルムの前後側端を端部保護領域で保護しているため、この包装体を解体しない限り、この前後側端の位置でブランクと透明フィルムとの間の前記隙間から内容物を取り出すことができない。また、この隙間から異物を混入したり、別の内容物と交換することもできない。
【００２０】
また、台紙領域、第二面側折り重ね領域及び端部保護領域が、折り曲げ罫線を介して一定方向に向かってこの順に連接されているため、これらの折り曲げ罫線で折り曲げることにより、台紙本体の第二面側に重ねられた左側折り曲げ片及び右側折り曲げ片の上に第二面側折り重ね領域を重ねることができ、また、端部保護領域を台紙領域に折り重ねて透明フィルムの前後側端を保護することができる。そして、台紙領域と第二面側折り重ね領域との間の折り曲げ罫線で折り曲げる場合と、第二面側折り重ね領域と端部保護領域との間の折り曲げ罫線で折り曲げる場合とは、その折り曲げ方向が同一であるため、その組み立ても容易である。
【００２１】
請求項５〜７に係る包装体においては、台紙本体を底部、天面板を天部として前記固定領域端部保護領域が箱体に組み立てられている。天面板には観察用の窓が開口しているが、この箱体を破壊しない限り、ブランクと透明フィルムとの間の隙間に触れることができない。このため、この隙間から異物を混入したり、内容物Ｂを不正に取り出すことができない。
【００２２】
なお、箱体の天面板に観察用窓が設けられており、この観察用窓と透明フィルムを通して内容物を観察することができるから、この包装体を店頭で陳列した場合にも、その内容物を見ることが可能である。
【００２３】
また、この包装体にあっても、台紙領域、第二面側折り重ね領域及び端部保護領域が、
折り曲げ罫線を介して一定方向に向かってこの順に連接されているため、これらの折り曲げ罫線で折り曲げることにより、台紙本体の第二面側に重ねられた左側折り曲げ片及び右側折り曲げ片の上に第二面側折り重ね領域を重ねることができ、また、端部保護領域を台紙領域に折り重ねて透明フィルムの前後側端を保護することができる。そして、台紙領域と第二面側折り重ね領域との間の折り曲げ罫線で折り曲げる場合と、第二面側折り重ね領域と端部保護領域との間の折り曲げ罫線で折り曲げる場合とは、その折り曲げ方向が同一であるため、その組み立ても容易である。
【図面の簡単な説明】
【００２４】
【図１】図１は本発明の第１の具体例に係り、そのブランクの平面図である。
【図２】図２は本発明の第１の具体例に係り、その製造工程を示す平面図である。
【図３】図３は本発明の第１の具体例の製造工程に係り、図３（ａ）は平面図、図３（ｂ）は底面図である。
【図４】図４は本発明の第１の具体例の製造工程に係り、図４（ａ）は平面図、図４（ｂ）は底面図である。
【図５】図５は本発明の第１の具体例の製造工程に係り、図５（ａ）は平面図、図５（ｂ）は底面図である。
【図６】図６は本発明の第１の具体例に係り、図６（ａ）は平面図、図６（ｂ）は底面図である。
【図７】図７は本発明の第２の具体例に係り、そのブランクの平面図である。
【図８】図８は本発明の第２の具体例に係り、その製造工程を示す平面図である。
【図９】図９は本発明の第２の具体例の製造工程に係り、図９（ａ）は平面図、図９（ｂ）は底面図である。
【図１０】図１０は本発明の第２の具体例の製造工程に係り、図１０（ａ）は平面図、図１０（ｂ）は底面図である。
【図１１】図１１は本発明の第２の具体例の製造工程に係り、図１１（ａ）は平面図、図１１（ｂ）は底面図である。
【図１２】図１２は本発明の第２の具体例に係り、図１２（ａ）は包装体の平面図、図１２（ｂ）は底面図である。
【図１３】図１３は本発明の第２の具体例の変形例に係り、その製造工程を示す平面図である。
【図１４】図１４は本発明の第３の具体例に係り、そのブランクの平面図である。
【図１５】図１５は本発明の第３の具体例に係り、その製造工程を示す平面図である。
【図１６】図１６は本発明の第３の具体例の製造工程に係り、図１６（ａ）は平面図、図１６（ｂ）は底面図である。
【図１７】図１７は本発明の第３の具体例の製造工程に係り、図１０（ａ）は平面図、図１０（ｂ）は底面図である。
【図１８】図１８は本発明の第３の具体例の製造工程を示す斜視図である。
【図１９】図１９は本発明の第３の具体例に係り、図１９（ａ）は上方から見た包装体の斜視図、図１９（ｂ）は下方から見た包装体の斜視図である。
【図２０】図２０は本発明の第４の具体例に係り、そのブランクの平面図である。
【図２１】図２１は本発明の第４の具体例に係り、その製造工程を示す平面図である。
【図２２】図２２は本発明の第４の具体例の製造工程に係り、図２２（ａ）は平面図、図２２（ｂ）は底面図である。
【図２３】図２３は本発明の第４の具体例の製造工程に係り、図２３（ａ）は平面図、図２３（ｂ）は底面図である。
【図２４】図２４は本発明の第４の具体例の製造工程を示す斜視図である。
【図２５】図２５は本発明の第４の具体例に係り、図２５（ａ）は上方から見た包装体の斜視図、図２５（ｂ）は下方から見た包装体の斜視図である。
【図２６】図２６は本発明の第５の具体例に係り、そのブランクの平面図である。
【図２７】図２７は本発明の第５の具体例に係り、その製造工程を示す平面図である。
【図２８】図２８は本発明の第５の具体例の製造工程に係り、図２８（ａ）は平面図、図２８（ｂ）は底面図である。
【図２９】図２９は本発明の第５の具体例の製造工程に係り、図２９（ａ）は平面図、図２９（ｂ）は底面図である。
【図３０】図３０は本発明の第５の具体例の製造工程を示す斜視図である。
【図３１】図３１は本発明の第５の具体例に係り、図３１（ａ）は上方から見た包装体の斜視図、図３１（ｂ）は下方から見た包装体の斜視図である。
【図３２】図３２は従来の技術を示す説明用斜視図である。
【発明を実施するための形態】
【００２５】
本発明の包装体は、１枚のブランクＡと透明フィルムＣとで固体内容物Ｂを包装したものである。そこで、以下、図面を参照しながら本発明の具体例を説明する。
【００２６】
（具体例１）
説明の便宜上、まず、ブランク１００Ａについて説明する。図１は、この具体例１で使用するブランク１００Ａの平面図である。
【００２７】
なお、この具体例において、「第一面側」はブランク１００Ａの両面のうち、固体内容物Ｂを載置する載置面を有する面を意味し、「第二面側」はその反対面を意味する。「前後」「左右」については、以下の説明及び図面から明らかと考えられる。
【００２８】
このブランクＡ１は、その機能に応じて４種類の領域に区分することができる。
【００２９】
第１の領域は長方形状の台紙領域である。この領域は、台紙本体１１１と２つの折り曲げ片１１２，１１３とを備えて構成されている。２つの折り曲げ片１１２，１１３は、それぞれ、台紙本体１１１の左右に配置されており、台紙本体１１１と左側の折り曲げ片１１２とは折り曲げ罫線１１ａを介して連接されており、台紙本体１１１と右側の折り曲げ片１１３とは折り曲げ罫線１１ｂを介して連接されている。
【００３０】
この台紙領域は、内容物Ｂを固定する領域である。すなわち、後述するように、台紙本体１１１の第一面側に内容物Ｂを載置し、この内容物Ｂを透明フィルムＣで被覆してその左右端をそれぞれ左右の折り曲げ片１１２，１１３に固定した後、折り曲げ罫線１１ａ，１１ｂで折り曲げて左右の折り曲げ片１１２，１１３を台紙本体１１１の第二面側に重ねることにより、透明フィルムＣの張力で内容物Ｂを台紙本体１１１の第一面側に押し付けて固定することができる。
【００３１】
なお、図示のように、台紙本体１１１には透孔１１ｘが設けられている。この透孔１１ｘは、吊り下げ孔１０ｘを構成するものである。この吊り下げ孔１０ｘについては後述する。
【００３２】
次に、第２の領域は台紙本体１１１と略同形同大の第二面側折り重ね領域１２１である。この第二面側折り重ね領域１２１と台紙本体１１１とは折り曲げ罫線１０ａを介して連接されている。この第二面側折り重ね領域１２１は、台紙本体１１１の第二面側に重ねられた左右の前記折り曲げ片１１２，１１３の上に重ねて、左右のこれら折り曲げ片１１２，１１３を固定する機能を有するものである。
【００３３】
この第二面側折り重ね領域１２１には透孔１２ｘが設けられている。この透孔１２ｘは、前述の透孔１１ｘと共に後述する吊り下げ孔１０ｘを構成するもので、このため、折り曲げ罫線１０ａを対称軸として透孔１１ｘと線対称の位置に配置されている。
【００３４】
また、第二面側折り重ね領域１２１には、係止用切込み１２ｙが設けられている。後述する係止用突起１４２をこの係止用切込み１２ｙに差し込むことにより、互いに分離困難に係止することができる。
【００３５】
次に、第３の領域は台紙本体１１１及び第二面側折り重ね領域１２１と略同形同大の端部保護領域１３１である。この端部保護領域１３１と第二面側折り重ね領域１２１とは折り曲げ罫線１０ｂを介して連接されている。
【００３６】
この図から分かるように、台紙領域、第二面側折り重ね領域１２１、端部保護領域１３１は、折り曲げ罫線１０ａ，１０ｂを介して、一定方向に向かってこの順に連接されている。すなわち、台紙領域を構成する台紙本体１１１の後方に第二面側折り重ね領域１２１が連接されており、第二面側折り重ね領域１２１の後方に端部保護領域１３１が連接されている。このため、折り曲げ罫線１０ａで折り曲げて、第二面側折り重ね領域１２１を台紙本体１１１の第二面に重ねた後、折り曲げ罫線１０ｂでこれと同じ方向に折り曲げることにより、端部保護領域１３１を台紙本体１１１の第一面に重ねることが可能である。
【００３７】
端部保護領域１３１には観察用窓１３ｚが設けられている。このため、端部保護領域１３１を台紙本体１１１の第一面に重ねたとき、この観察用窓１３ｚを通して内容物Ｂを観察することができる。この観察用窓１３ｚの周囲に端部保護領域１３１が存在しており、端部保護領域１３１を台紙本体１１１の第一面に重ねたとき、透明フィルムＣの側端はこの端部保護領域１３１で覆われる。このため、透明フィルムＣの側端が包装体１００の外面に露出することがなく、透明フィルムＣ側端のこの隙間から内容物を取り出すことができない。また、この隙間から異物を混入したり、別の内容物と交換することもできない。
【００３８】
また、端部保護領域１３１には透孔１３ｘが設けられている。この透孔１３ｘは、前述の透孔１１ｘ及び透孔１２ｘと共に後述する吊り下げ孔１０ｘを構成するもので、このため、折り曲げ罫線１０ｂを対称軸として透孔１２ｘと線対称の位置に配置されている。
【００３９】
次に、第４の領域は固定領域である。この固定領域は、第二面側折り重ね領域１２１の上に折り重ねる上側折り重ね片１４１と、その端部に設けられた係止用突起１４２とで構成されている。上側折り重ね片１４１は折り曲げ罫線１０ｃを介して端部保護領域１３１に連接されている。なお、上側折り重ね片１４１と係止用突起１４２とは折り曲げ罫線１４ａを介して連接されているが、この折り曲げ罫線１４ａは係止用突起１４２を係止用切込み１２ｙに差し込む際の便宜のために設けたもので、必ずしも必要なものではない。
【００４０】
なお、上側折り重ね片１４１には透孔１４ｘが設けられている。この透孔１４ｘは、前述の透孔１１ｘ，１２ｘ及び透孔１３ｘと共に後述する吊り下げ孔１０ｘを構成するもので、このため、折り曲げ罫線１０ｃを対称軸として透孔１３ｘと線対称の位置に配置されている。
【００４１】
次に、この具体例１に係る包装体１００の製造方法を説明する。
【００４２】
すなわち、まず、ブランク１００Ａの台紙本体１１１の第一面側に内容物Ｂを載置する。次に、この内容物Ｂを透明フィルムＣで被覆し、この透明フィルムＣの左右端をそれぞれ左側折り曲げ片１１２及び右側折り曲げ片１１３に固定する（図２参照）。なお、図中、Ｃ１２，Ｃ１３はこの固定部を示している。
【００４３】
次に、台紙本体１１１と左側折り曲げ片１１２との間の折り曲げ罫線１１ａで折り曲げ、左側折り曲げ片１１２を台紙本体１１１の第二面に密着して又は隙間を介して折り重ねる。また、同様に台紙本体１１１と右側折り曲げ片１１３との間の折り曲げ罫線１１ｂで折り曲げ、右側折り曲げ片１１３を台紙本体１１１の第二面に密着して又は隙間を介して折り重ねる。この工程によって、透明フィルムＣが引き伸ばされてその張力が増加し、固体内容物Ｂが台紙本体１１１の第一面側に押し付けられて固定される（図３参照）。
【００４４】
次に、台紙本体１１１と第二面側折り重ね領域１２１との間の折り曲げ罫線１０ａで折り曲げ、第二面側折り重ね領域１２１を台紙本体１１１の第二面に折り重ねることにより、台紙本体１１１と第二面側折り重ね領域１２１との間に左側折り曲げ片１１２及び右側折り曲げ片１１３を挟んで固定する（図４参照）。
【００４５】
なお、この工程によって、台紙本体１１１の透孔１１ｘと第二面側折り重ね領域１２１の透孔１２ｘとが互いに重なり合う。
【００４６】
次に、第二面側折り重ね領域１２１と端部保護領域１３１との間の折り曲げ罫線１０ｂで折り曲げ、端部保護領域１３１を台紙本体１１１の第一面に重ねる（図５参照）。この工程によって、端部保護領域１３１の観察用窓１３ｚが透明フィルムＣに重ねられ、この観察用窓１３ｚを通して内容物Ｂを観察できることになる。一方、透明フィルムＣの側端はこの端部保護領域１３１で覆われる。なお、この工程により、端部保護領域１３１の透孔１３ｘは、前記の透孔１１ｘ，１２ｘに重なる。
【００４７】
最後に、端部保護領域１３１と上側折り重ね片１４１との間の折り曲げ罫線１０ｃで折り曲げ、上側折り重ね片１４１を第二面側、すなわち、第二面側折り重ね領域１２１の上に重ね、係止用突起１４２を係止用切込み１２ｙに差し込むことにより、包装体１００を組み立てることができる。なお、この工程で、上側折り重ね片１４１の透孔１４ｘは、前記透孔１１ｘ，１２ｘ，１３ｘに重なって、これら透孔１１ｘ，１２ｘ，１３ｘ，１４ｘで吊り下げ孔１０ｘを構成する。
【００４８】
図６はこうして製造された包装体１００を示しており図６（ａ）は包装体１００の平面図、図６（ｂ）は底面図である。図６（ａ）から分かるように、この包装体１００では、観察用窓１３ｚと透明フィルムＣを通して内容物Ｂを観察することができる。また、この包装体１００では、内容物Ｂは透明フィルムＣで被覆しているだけであるから、この第一面をなぞることにより、その凹凸や触感を確認することも可能である。
【００４９】
このため、この包装体１００は店頭に陳列するものとして優れている。また、陳列するに当たっては、吊り下げ孔１０ｘを利用して吊り下げ展示することもできる。
【００５０】
なお、透明フィルムＣの両側端が端部保護領域１３１で保護されており、係止用突起１４２と係止用切込み１２ｙとの係止を解かない限り、この両側端でブランク１００Ａと透明フィルムＣとの間の隙間を露出することが困難であることは以上の説明から明らかと思われる。したがって、この包装体１００は、これを解体しない限り、ブランク１００Ａと透明フィルムＣとの隙間に触れることができず、この隙間から異物を混入したり、内容物Ｂを不正に取り出すことができないのである。
【００５１】
なお、この包装体１００は、台紙本体１１１、第二面側折り重ね領域１２１、端部保護領域１３１及び固定領域が、各折り曲げ罫線１０ａ，１０ｂ，１０ｃで、一方向にこの順に連接されたブランク１００Ａを使用して構成されているから、その組み立てにあたって、一定の方向に折り曲げるだけで組み立てることができる。
【００５２】
（具体例２）
この具体例は、固体内容物Ｃをそれぞれ載置する台紙領域を２つ有する包装体２００の
例である。２つの台紙領域は、折り曲げ罫線２０ａ‘を介して互いに連接されており、この折り曲げ罫線２０ａ‘で折り曲げることにより、この２つの台紙領域が背中合わせに配置されている。このため、これら２つの台紙領域のそれぞれに載置された２つの内容物は、包装体２Ｂの表裏に位置している。
【００５３】
そこで、２つの台紙領域のうち、第二面側折り重ね領域１２１に隣接する台紙領域の内容物Ｃを載置する載置面を有する面を「第一面側」とし、その反対面を「第二面側」として説明する。
【００５４】
なお、説明の便宜上、まず、ブランク２００Ａについて説明する。図７は、この具体例２で使用するブランク２００Ａの平面図である。
【００５５】
このブランク２００Ａは、その機能に応じて４種類の領域に区分することができる。
【００５６】
第１の領域は長方形状の台紙領域である。この例では、２つの台紙領域を有しているため、後述する第２の台紙領域と区別するため、この領域を第１の台紙領域と呼ぶ。
【００５７】
この第１の台紙領域は、第１の台紙本体２１１と２つの第１の折り曲げ片２１２，２１３とを備えて構成されている。２つの第１の折り曲げ片２１２，２１３は、それぞれ、第１の台紙本体２１１の左右に配置されており、第１の台紙本体２１１と第１の左側の折り曲げ片２１２とは折り曲げ罫線２１ａを介して連接されており、第１の台紙本体２１１と第１の右側の折り曲げ片２１３とは折り曲げ罫線２１ｂを介して連接されている。
【００５８】
この第１の台紙領域は、第１の内容物Ｂを固定する領域である。すなわち、後述するように、第１の台紙本体２１１の第一面側に第１の内容物Ｂを載置し、この第１の内容物Ｂを透明フィルムＣで被覆してその左右端をそれぞれ左右の折り曲げ片２１２，２１３に固定した後、折り曲げ罫線２１ａ，２１ｂで折り曲げて左右の折り曲げ片２１２，２１３を台紙本体２１１の第二面側に重ねることにより、透明フィルムＣの張力で第１の内容物Ｂを第１の台紙本体２１１の第一面側に押し付けて固定することができる。
【００５９】
また、この第１の台紙本体２１１には、内容物Ｂを載置する部位を避けて、係止用切込み２１ｙが設けられている。後述する係止用突起２４２をこの係止用切込み２１ｙに差し込むことにより、互いに分離困難に係止することができる。この例では、内容物Ｂを載置する部位を基準として、第二面側折り重ね領域２２１に近い位置に係止用切込み２１ｙが配置されている。
【００６０】
また、この第１の台紙本体２１１には、透孔２１ｘが設けられている。この透孔２１ｘは、吊り下げ孔２０ｘを構成するものである。この吊り下げ孔２０ｘについては後述する。なお、この例では、係止用切込み２１ｙを基準として、第二面側折り重ね領域２２１に近い位置に透孔２１ｘが配置されている。
【００６１】
次に、第２の領域は、第２の台紙領域である。この第２の台紙領域も、第２の台紙本体２１１’と２つの第２の折り曲げ片２１２’，２１３’とを備えて構成されている。２つの第２の折り曲げ片２１２’，２１３’は、それぞれ、第２の台紙本体２１１’の左右に配置されており、第２の台紙本体２１１’と第２の左側の折り曲げ片２１２’とは折り曲げ罫線２１ａ’を介して連接されており、第２の台紙本体２１１’と第２の右側の折り曲げ片２１３’とは折り曲げ罫線２１ｂ’を介して連接されている。
【００６２】
この第２の台紙領域は、第２の内容物Ｂ’を固定する領域である。すなわち、後述するように、第２の台紙本体２１１’の第一面側に第１の第２の内容物Ｂ’を載置し、この第
２の内容物Ｂ’を透明フィルムＣ’で被覆してその左右端をそれぞれ左右の折り曲げ片２１２’，２１３’に固定した後、折り曲げ罫線２１ａ’，２１ｂ’で折り曲げて左右の折り曲げ片２１２’，２１３’を台紙本体２１１’の第二面側に重ねることにより、透明フィルムＣ’の張力で第２の内容物Ｂ’を第２の台紙本体２１１’の第一面側に押し付けて固定することができる。
【００６３】
なお、図から分かるように、この第２の台紙本体２１１’は、折り曲げ罫線２０ａ’を介して第１の台紙本体２１１に連接されている。その位置は、第１の台紙本体２１１を基準として、第二面側折り重ね領域２２１とは反対側である。
【００６４】
なお、この第２の台紙本体２１１’にも透孔２１ｘ’が設けられている。この透孔２１ｘ’も、前述の透孔２１ｘと共に、吊り下げ孔２０ｘを構成するものである。このため、第１の台紙本体２１１と第２の台紙本体２１１’との間の折り曲げ罫線２０ａ’を対称軸として、透孔２１ｘと透孔２１ｘ’とは線対称の位置に配置されている。
【００６５】
次に、第３の領域は第二面側折り重ね領域２２１である。この第二面側折り重ね領域２２１と第１の台紙本体２１１とは折り曲げ罫線２０ａを介して連接されている。前述のとおり、第二面側折り重ね領域２２１は、第１の台紙本体２１１を間に介して、第２の台紙本体２１１’の反対側に配置されている。
【００６６】
この第二面側折り重ね領域２２１は、第１の台紙本体２１１の第二面側に重ねられた第２の台紙本体２１１’上に重ねて、この第２の台紙本体２１１’上の第２の内容物Ｂ‘を包装体２００の外部から観察可能とするものである。このため、第二面側折り重ね領域２２１には、観察用窓２２ｚが設けられている。折り曲げ罫線２０ａ’で折り曲げて第２の台紙本体２１１’を第１の台紙本体２１１の第二面側に重ね、かつ、折り曲げ罫線２０ａで折り曲げて第二面側折り重ね領域２２１を第２の台紙本体２１１’の上に重ねたとき、観察用窓２２ｚによって第２の内容物Ｂ’が透視でき、しかも、この観察用窓２２ｚの周囲で透明フィルムＣ’の両側端に重ねられる位置に、この第二面側折り重ね領域２２１が設けられており、このため、包装体２００の外面に透明フィルムＣ’の側端が露出することがなく、透明フィルムＣ側端のこの隙間から内容物を取り出すことができない。また、この隙間から異物を混入したり、別の内容物と交換することもできない。
【００６７】
なお、第二面側折り重ね領域２２１にも透孔２２ｘが設けられている。この透孔２２ｘも、前述の透孔２１ｘや透孔２１ｘ’と共に、吊り下げ孔２０ｘを構成するものである。このため、第１の台紙本体２１１と第二面側折り重ね領域２２１との間の折り曲げ罫線２０ａを対称軸として、透孔２１ｘと透孔２２ｘとは線対称の位置に配置されている。
【００６８】
次に、第４の領域は端部保護領域２３１である。端部保護領域２３１と第二面側折り重ね領域２２１とは折り曲げ罫線２０ｃを介して連接されている。端部保護領域２３１は、第二面側折り重ね領域２２１を間に介して、第二面側折り重ね領域２２１の反対側に配置されている。
【００６９】
以上の説明から分かるように、また、図７から分かるように、第２の台紙領域、第２の台紙領域、第二面側折り重ね領域２２１及び端部保護領域２３１は、折り曲げ罫線２０ａ’，２０ａ，２０ｂを介して、一定方向に向かってこの順に並んでいる。
【００７０】
ところで、この端部保護領域２３１は、第１の台紙本体２１１上に重ねて、この第１の台紙本体２１１上の第１の内容物Ｂを包装体２００の外部から観察可能とするものである。このため、端部保護領域２３１には、観察用窓２３ｚが設けられている。前述のように折り曲げ罫線２０ａで折り曲げて第二面側折り重ね領域２２１を第２の台紙本体２１１’の上に重ね、次に折り曲げ罫線２０ｂで折り曲げて端部保護領域２３１を第１の台紙本体２１１上に重ねたとき、観察用窓２３ｚによって第１の内容物Ｂが透視でき、しかも、この観察用窓２３ｚの周囲で透明フィルムＣの両側端に重ねられる位置に、この観察用窓２３ｚが設けられている。
【００７１】
また、この端部保護領域２３１には係止用突起２３２が設けられている。この係止用突起２３２は、係止用切込み２１ｙに差し込むことにより、互いに分離困難に係止するものである。このため、前述のように折り曲げ罫線２０ａで折り曲げて第二面側折り重ね領域２２１を第２の台紙本体２１１’の上に重ね、次に折り曲げ罫線２０ｂで折り曲げて端部保護領域２３１を第１の台紙本体２１１上に重ねたとき、係止用切込み２１ｙに差し込むことができる位置にこの係止用突起２３２が設けられている。
【００７２】
なお、端部保護領域２３１にも透孔２３ｘが設けられている。この透孔２３ｘも、前述の透孔２１ｘ，２１ｘ’，２２ｘと共に、吊り下げ孔２０ｘを構成するものである。このため、第二面側折り重ね領域２２１と端部保護領域２３１との間の折り曲げ罫線２０ｂを対称軸として、透孔２２ｘと透孔２３ｘとは線対称の位置に配置されている。
【００７３】
次に、この具体例２に係る包装体２００の製造方法を説明する。
【００７４】
すなわち、まず、ブランク２００Ａの第１の台紙本体２１１の第一面側に第１の内容物Ｂを載置する。次に、この内容物Ｂを透明フィルムＣで被覆し、この透明フィルムＣの左右端をそれぞれ第１の左側折り曲げ片２１２及び第１の右側折り曲げ片２１３に固定する（図８参照）。なお、図中、Ｃ１２，Ｃ１３はこの固定部を示している。
【００７５】
また、同様に、ブランク２００Ａの第２の台紙本体２１１’の第一面側に第２の内容物Ｂ’を載置する。次に、この内容物Ｂ’を透明フィルムＣ’で被覆し、この透明フィルムＣ’の左右端をそれぞれ第２の左側折り曲げ片２１２’及び第２の右側折り曲げ片２１３’に固定する（図８参照）。なお、図中、Ｃ１２’，Ｃ１３’はこの固定部を示している。
【００７６】
次に、第１の台紙本体２１１と第１の左側折り曲げ片２１２との間の折り曲げ罫線２１ａで折り曲げ、第１の左側折り曲げ片２１２を第１の台紙本体２１１の第二面に密着して又は隙間を介して折り重ねる。また、同様に第１の台紙本体２１１と第１の右側折り曲げ片２１３との間の折り曲げ罫線２１ｂで折り曲げ、第１の右側折り曲げ片２１３を第１の台紙本体２１１の第二面に密着して又は隙間を介して折り重ねる。この工程によって、透明フィルムＣが引き伸ばされてその張力が増加し、第１の固体内容物Ｂが第１の台紙本体２１１の第一面側に押し付けられて固定される（図９参照）。
【００７７】
また、同様に第２の台紙本体２１１’と第２の左側折り曲げ片２１２’との間の折り曲げ罫線２１ａ’で折り曲げ、第２の左側折り曲げ片２１２’を第２の台紙本体２１１’の第二面に密着して又は隙間を介して折り重ねる。また、同様に第２の台紙本体２１１’と第２の右側折り曲げ片２１３’との間の折り曲げ罫線２１ｂ’で折り曲げ、第２の右側折り曲げ片２１３’を第２の台紙本体２１１’の第二面に密着して又は隙間を介して折り重ねる。この工程によって、透明フィルムＣ’が引き伸ばされてその張力が増加し、第２の固体内容物Ｂ’が第２の台紙本体２１１’の第一面側に押し付けられて固定される（図９参照）。
【００７８】
次に、第１の台紙本体２１１と第２の台紙本体２１１’との間の折り曲げ罫線２０ａ’で折り曲げ、第１の台紙本体２１１の第２面と第２の台紙本体２１１’ の第２面とを重ね合わせる（図１０参照）。この工程により、第１の左側折り曲げ片２１２，第１の右側折り曲げ片２１３，第２の左側折り曲げ片２１２’及び第２の右側折り曲げ片２１３’は、いずれも、第１の台紙本体２１１と第２の台紙本体２１１’との間に挟まれて固定される。また、第１の台紙本体２１１の透孔２１ｘと第２の台紙本体２１１’の透孔２１ｘ’とが互いに重ねられる。
【００７９】
次に、第１の台紙本体２１１と第二面側折り重ね領域２２１との間の折り曲げ罫線２０ａで折り曲げ、第二面側折り重ね領域２２１を第２の台紙本体２１１’の上に重ねる（図１１参照）。この工程により、第二面側折り重ね領域２２１の観察用窓２２ｚによって第２の内容物Ｂ’が透視でき、しかも、この観察用窓２２ｚの周囲で第二面側折り重ね領域２２１が透明フィルムＣ’の両側端に重ねられ、このため、透明フィルムＣ’の側端が観察用窓２２ｚの周囲で保護される。
【００８０】
最後に、第二面側折り重ね領域２２１と端部保護領域２３１との間の折り曲げ罫線２０ｂで折り曲げ、端部保護領域２３１を第１の台紙本体２１１の上に重ね、係止用突起２３２を係止用切込み２１ｙに差し込むことにより、包装体２００を組み立てることができる。なお、この工程で、端部保護領域２３１の透孔２３ｘは、前記透孔２１ｘ，２１ｘ’，２２ｘに重なって、これら透孔２１ｘ，２１ｘ’，２２ｘで吊り下げ孔２０ｘを構成する。
【００８１】
図１２はこうして製造された包装体２００を示しており、図１２（ａ）は包装体２００の平面図、図１２（ｂ）は包装体２００の底面図である。
【００８２】
図１２（ａ）から分かるように、この包装体２００では、観察用窓２２ｚと第二の透明フィルムＣ’を通して第二の内容物Ｂ’を観察することができる。また、この包装体２００では、第二の内容物Ｂ’は第二の透明フィルムＣ’で被覆しているだけであるから、これをなぞることにより、その凹凸や触感を確認することも可能である。
【００８３】
また、図１２（ｂ）から分かるように、この包装体２００では、観察用窓２３ｚと第一の透明フィルムＣを通して第一の内容物Ｂを観察することができる。また、この包装体２００では、第一の内容物Ｂは第一の透明フィルムＣで被覆しているだけであるから、これをなぞることにより、その凹凸や触感を確認することも可能である。
【００８４】
このように、この包装体２００では、表裏両面から観察することにより、それぞれ、第一の内容物Ｂ及び第二の内容物Ｂ’を観察することができ、また、凹凸や触感を確認することができる。
【００８５】
このため、この包装体２００は店頭に陳列するものとして優れている。また、陳列するに当たっては、吊り下げ孔２０ｘを利用して吊り下げ展示することもできる。
【００８６】
なお、第一の透明フィルムＣの両側端は端部保護領域２３１で保護されており、係止用突起２３２と係止用切込み２１ｙとの係止を解かない限り、この両側端でブランク２００Ａと第一の透明フィルムＣとの間の隙間を露出することが困難である。また、第二の透明フィルムＣの両側端は第二面側折り重ね領域２２１で保護されており、係止用突起２３２と係止用切込み２１ｙとの係止を解かない限り、この両側端でブランク２００Ａと第二の透明フィルムＣとの間の隙間を露出することも困難である。このため、この包装体２００は、これを解体しない限り、ブランク２００Ａと透明フィルムＣ，Ｃ’との隙間に触れることができず、この隙間から異物を混入したり、内容物Ｂ，Ｂ’を不正に取り出すことができない。
【００８７】
なお、この包装体２００は、第２の台紙本体２１１’、第１の台紙本体２１１、第二面
側折り重ね領域２２１及び端部保護領域２３１が、各折り曲げ罫線１０ａ’，１０ａ，１０ｂ一方向にこの順に連接されたブランク２００Ａを使用して構成されているから、その組み立てにあたって、一定の方向に折り曲げるだけで組み立てることができる。
【００８８】
（具体例２の変形例）
具体例２では、２つの内容物Ｂ，Ｂ’をそれぞれ別の透明フィルムＣ，Ｃ’で被覆し、かつ、固定しているが、これら２つの内容物Ｂ，Ｂ’の両者を１枚の透明フィルムで被覆かつ固定することもできる。この例は、具体例２は、２つの内容物Ｂ，Ｂ’の両者を一括して１枚の透明フィルムＣ”で被覆かつ固定したもので、その他は具体例２と同様であり、図１３はその製造工程を示す平面図である。なお、図中、Ｃ１２”，Ｃ１３”はこの固定部を示している。
【００８９】
（具体例３）
この具体例は、台紙領域と端部保護領域とで箱体を構成した例である。
【００９０】
なお、この具体例において、「第一面側」はブランク３００Ａの両面のうち、固体内容物Ｂを載置する載置面を有する面を意味し、「第二面側」はその反対面を意味する。「前後」「左右」については、以下の説明及び図面から明らかと考えられる。
【００９１】
なお、説明の便宜上、まず、ブランク３００Ａについて説明する。図１４は、この具体例３で使用するブランク３００Ａの平面図である。
【００９２】
このブランク３００Ａは、その機能に応じて４種類の領域に区分することができる。
【００９３】
第１の領域は長方形状の台紙領域である。この領域は、台紙本体３１１と３つの折り曲げ片３１２，３１３，３１４とを備えて構成されている。３つの折り曲げ片３１２，３１３，３１４のうち、２つの折り曲げ片３１２，３１３は、それぞれ、台紙本体３１１の左右に配置されており、台紙本体３１１と左側の折り曲げ片３１２とは折り曲げ罫線３１ａを介して連接されており、台紙本体３１１と右側の折り曲げ片３１３とは折り曲げ罫線３１ｂを介して連接されている。また、折り曲げ片３１４は台紙本体３１１の前方に配置されており、台紙本体３１１と折り曲げ片３１３とは折り曲げ罫線３１ｃを介して連接されている。
【００９４】
なお、台紙本体３１１の左側に位置する左側折り曲げ片３１２と台紙本体３１１の前方に位置する前方折り曲げ片３１４との間の角部には、これら左側折り曲げ片３１２と前方折り曲げ片３１４とに連接した三角形状のフラップ３１５が設けられている。また、同様に、台紙本体３１１の左側に位置する右側折り曲げ片３１３と台紙本体３１１の前方に位置する前方折り曲げ片３１４との間の角部には、これら右側折り曲げ片３１３と前方折り曲げ片３１４三角形状のフラップ３１６が設けられている。
【００９５】
この台紙領域は、内容物Ｂを固定する領域である。すなわち、後述するように、台紙本体３１１の第一面側に内容物Ｂを載置し、この内容物Ｂを透明フィルムＣで被覆してその左右端をそれぞれ左右の折り曲げ片３１２，３１３に固定した後、折り曲げ罫線３１ａ，３１ｂで折り曲げて左右の折り曲げ片３１２，３１３を台紙本体３１１の第二面側に重ねることにより、透明フィルムＣの張力で内容物Ｂを台紙本体３１１の第一面側に押し付けて固定することができる。
【００９６】
なお、図示のように、台紙本体３１１には透孔３１ｘが設けられている。この透孔３１ｘは、吊り下げ孔３０ｘを構成するものである。この吊り下げ孔３０ｘについては後述する。
【００９７】
次に、第２の領域は台紙本体３１１と略同形同大の第二面側折り重ね領域３２１である。この第二面側折り重ね領域３２１と台紙本体３１１とは折り曲げ罫線３０ａを介して連接されている。この第二面側折り重ね領域３２１は、台紙本体３１１の第二面側に重ねられた左右の前記折り曲げ片３１２，３１３の上に重ねて、左右のこれら折り曲げ片３１２，３１３を固定する機能を有するものである。
【００９８】
この第二面側折り重ね領域３２１には透孔３２ｘが設けられている。この透孔３２ｘは、前述の透孔３１ｘと共に後述する吊り下げ孔３０ｘを構成するもので、このため、折り曲げ罫線３０ａを対称軸として透孔３１ｘと線対称の位置に配置されている。
【００９９】
また、第二面側折り重ね領域３２１には、係止用切込み３２ｙが設けられている。後述する係止用突起３４２をこの係止用切込み３２ｙに差し込むことにより、互いに分離困難に係止することができる。
【０１００】
また、第二面側折り重ね領域３２１には、その左右にフラップ３２２，３２３が連接されている。これらフラップ３２２，３２３は、後述する箱体を形成した際に、その箱体の側面板の内側に位置して箱体側面を補強する機能を有する。これらフラップ３２２，３２３は、それぞれ、折り曲げ罫線３２ａ，３２ｂを介して第二面側折り重ね領域３２１に連接されている。
【０１０１】
次に、第３の領域は端部保護領域である。前述のように、この端部保護領域は、台紙本体３１１と共に箱体を構成するものである。このため、端部保護領域は、箱体の前側側面板３３４，後側側面板３３５，左右両側面板３３２，３３３と、天面板３３１を有して構成されている。
【０１０２】
前側側面板３３４は、折り曲げ罫線３０ｂを介して第二面側折り重ね領域３２１に連接されている。前側側面板３３４は、第二面側折り重ね領域３２１を間に介して、台紙本体３１１の反対側に配置されている。
【０１０３】
天面板３３１は台紙本体３１１と同形同大の長方形状で、折り曲げ罫線３３ｃを介して前側側面板３３４に連接されている。天面板３３１は、前側側面板３３４を間に介して、第二面側折り重ね領域３２１の反対側に配置されている。
【０１０４】
この天面板３３１には、観察用窓３３ｚが設けられている。端部保護領域を箱体に組み立てたとき、この観察用窓３３ｚが前記内容物Ｂの直上に位置し、このため、この観察用窓３３ｚを通して前記内容物Ｂを観察することができる。
【０１０５】
また、天面板３３１には、透孔３３ｘが設けられている。この透孔３３ｘは、前述の透孔３１ｘ，３２ｘと共に後述する吊り下げ孔３０ｘを構成するもので、このため、これら透孔３１ｘ，３２ｘに対応する位置に配置されている。
【０１０６】
後側側面板３３５は、折り曲げ罫線３３ｄを介して天面板３３１に連接されている。後側側面板３３５は、天面板３３１を間に介して、前側側面板３３４の反対側に配置されている。このため、台紙本体３１１、第二面側折り重ね領域３２１、前側側面板３３４、天面板３３１及び後側側面板３３５は、それぞれの間に折り曲げ罫線３０ａ，３０ｂ，３３ｃ，３３ｄを介して、一定方向に向かってこの順に並んでいる。
【０１０７】
また、左右両側面板３３２，３３３は、それぞれ、折り曲げ罫線３３ａ，３３ｂを介して、天面板３３１の左右に連接されている。図から分かるように、左側側面板３３２と前
側側面板３３４との間の角部には、これら左側側面板３３２と前側側面板３３４とを連接するフラップ３３４１が設けられており、左側側面板３３２と前側側面板３３４との交点位置からこのフラップ３３４１を二等分する折り曲げ罫線で区画されている。
【０１０８】
また、同様に、右側側面板３３３と前側側面板３３４との間の角部には、これら右側側面板３３３と前側側面板３３４とを連接するフラップ３３４２が設けられており、右側側面板３３３と前側側面板３３４との交点位置からこのフラップ３３４２を二等分する折り曲げ罫線で区画されている。
【０１０９】
また、左側側面板３３２と後側側面板３３５との間の角部にも、これら左側側面板３３２と後側側面板３３５とを連接するフラップ３３５１が設けられており、左側側面板３３２と後側側面板３３５との交点位置からこのフラップ３３５１を二等分する折り曲げ罫線で区画されている。
【０１１０】
同様に、右側側面板３３３と後側側面板３３５との間の角部には、これら右側側面板３３３と後側側面板３３５とを連接するフラップ３３５２が設けられており、右側側面板３３３と後側側面板３３５との交点位置からこのフラップ３３５２を二等分する折り曲げ罫線で区画されている。
【０１１１】
次に、第４の領域は固定領域である。この固定領域は、第二面側折り重ね領域３２１の折り重ねる上側折り重ね片３４１と、その端部に設けられた係止用突起３４２とで構成されている。上側折り重ね片３４１は折り曲げ罫線を介して後側側面板３３５に連接されている。なお、上側折り重ね片３４１と係止用突起３４２とは折り曲げ罫線を介して連接されているが、この折り曲げ罫線は係止用突起３４２を係止用切込み３２ｙに差し込む際の便宜のために設けたもので、必ずしも必要なものではない。
【０１１２】
次に、この具体例３に係る包装体３００の製造方法を説明する。
【０１１３】
すなわち、まず、ブランク３００Ａの台紙本体３１１の第一面側に内容物Ｂを載置する。次に、この内容物Ｂを透明フィルムＣで被覆し、この透明フィルムＣの左右端をそれぞれ左側折り曲げ片３１２及び右側折り曲げ片３１３に固定する（図１５参照）。なお、図中、Ｃ１２，Ｃ１３はこの固定部を示している。
【０１１４】
次に、台紙本体３１１と左側折り曲げ片３１２との間の折り曲げ罫線３１ａで折り曲げ、左側折り曲げ片３１２を台紙本体３１１の第二面に密着して又は隙間を介して折り重ねる。また、同様に台紙本体３１１と右側折り曲げ片３１３との間の折り曲げ罫線３１ｂで折り曲げ、右側折り曲げ片３１３を台紙本体３１１の第二面に密着して又は隙間を介して折り重ねる。この工程によって、透明フィルムＣが引き伸ばされてその張力が増加し、固体内容物Ｂが台紙本体３１１の第一面側に押し付けられて固定される（図１６参照）。
【０１１５】
次に、台紙本体３１１と第二面側折り重ね領域３２１との間の折り曲げ罫線３０ａで折り曲げ、第二面側折り重ね領域３２１を台紙本体３１１の第二面に折り重ねることにより、台紙本体３１１と第二面側折り重ね領域３２１との間に左側折り曲げ片３１２及び右側折り曲げ片３１３を挟んで固定する（図１７参照）。
【０１１６】
なお、この工程によって、台紙本体３１１の透孔３１ｘと第二面側折り重ね領域３２１の透孔３２ｘとが互いに重なり合う。また、台紙本体３１１と前方折り曲げ片３１４との間の折り曲げ罫線３１ｃと、第二面側折り重ね領域３２１と前側側面板３３４との間の折り曲げ罫線３０ｂとが重なり合う。
【０１１７】
次に、第二面側折り重ね領域３２１と端部保護領域３３１との間の折り曲げ罫線３０ｂで折り曲げると共に、台紙本体３１１を底部として、天面板３３１、各側面板３３２〜３３５によって箱体に組み立てる。図１８は、この組み立て工程を示す斜視図である。
【０１１８】
すなわち、折り曲げ罫線３０ｂと折り曲げ罫線３１ｃとは重なっているから、この両罫線３０ｂ，３１ｃで折り曲げ、前方折り曲げ片３１４と前側側面板３３４とを重ね合わせたまま、これら前方折り曲げ片３１４と前側側面板３３４の両者を立ち上げる。
【０１１９】
また、前側側面板３３４と天面板３３１との間の折り曲げ罫線３３ｃで折り曲げると共に、前側側面板３３４と左右の側面板３３２，３３３との間の角部に設けられたフラップを二つ折りし、これらフラップ３３４１，３３４２を箱体の内側に折り込み、左右の側面板３３２，３３３を立ち上げる。
【０１２０】
同様に、天面板３３１と後側側面板３３５との間の折り曲げ罫線３３ｄで折り曲げると共に、後側側面板３３１と左右の側面板３３２，３３３との間の角部に設けられたフラップを二つ折りし、これらフラップ３３５１，３３５２を箱体の内側に折り込み、左右の側面板３３２，３３３を立ち上げる。
【０１２１】
この工程によって、箱体を組み立てることができる。この箱体の底部は、台紙本体３１１と第二面側折り重ね領域３２１とが重なって構成されている。そして、この底部の四周で後側側面板３３５、前側側面板３３４及び左右の側面板３３２，３３３が立ち上がり、その天部を天面板３３１が覆っている。天面板３３１には観察用窓３３ｚが設けられているから、この観察用窓３３ｚを通して、内容物Ｂを透視することができる。
【０１２２】
また、天面板３３１の透孔３３ｘは、透孔３１ｘ，３２ｘに対応して、その直上に位置する。これら透孔３３ｘ，３１ｘ，３２ｘは吊り下げ孔３０ｘとして利用することができる。
【０１２３】
最後に、後側側面板３３１と上側折り重ね片３４１との間の折り曲げ罫線で折り曲げて上側折り重ね片３４１を箱体の底部外側、すなわち、第二面側折り重ね領域３２１に重ね、係止用突起３４２を係止用切込み３２ｙに差し込むことにより、包装体３００を組み立てることができる。
【０１２４】
図１９はこうして製造された包装体３００を示しており図１９（ａ）は上方から見た包装体３００の斜視図、図１９（ｂ）は下方から見た包装体３００の斜視図である。
【０１２５】
この包装体３００においては、箱体の天面中央に観察用窓３３ｚが開口しているが、この箱体を破壊しない限り、ブランク３００Ａと透明フィルムＣとの間の隙間に触れることができない。このため、この隙間から異物を混入したり、内容物Ｂを不正に取り出すことができない。
【０１２６】
なお、箱体の天面板３３１に観察用窓３３ｚが設けられており、この観察用窓３３ｚと透明フィルムＣを通して内容物Ｂを観察することができるから、この包装体３００を店頭で陳列した場合にも、その内容物Ｂを見ることが可能である。
【０１２７】
また、吊り下げ孔３０ｘを利用して吊り下げ展示することも可能である。
【０１２８】
また、前述のように、台紙領域、第二面側折り重ね領域３２１及び端部保護領域が、折り曲げ罫線３０ａ，３０ｂを介して、一定方向に向かってこの順に連接されたブランク３００Ａを使用して構成されているから、その組み立てにあたって、一定の方向に折り曲げるだけで組み立てることができる。
【０１２９】
（具体例４）
この具体例も、台紙領域と端部保護領域とで箱体を構成した例である。
【０１３０】
なお、この具体例において、「第一面側」はブランク４００Ａの両面のうち、固体内容物Ｂを載置する載置面を有する面を意味し、「第二面側」はその反対面を意味する。「前後」「左右」については、以下の説明及び図面から明らかと考えられる。
【０１３１】
なお、説明の便宜上、まず、ブランク４００Ａについて説明する。図２０は、この具体例４で使用するブランク４００Ａの平面図である。
【０１３２】
このブランク４００Ａは、その機能に応じて４種類の領域に区分することができる。
【０１３３】
第１の領域は長方形状の台紙領域である。この領域は、台紙本体４１１と３つの折り曲げ片４１２，４１３，４１４とを備えて構成されている。３つの折り曲げ片４１２，４１３，４１４のうち、２つの折り曲げ片４１２，４１３は、それぞれ、台紙本体４１１の左右に配置されており、台紙本体４１１と左側の折り曲げ片４１２とは折り曲げ罫線４１ａを介して連接されており、台紙本体４１１と右側の折り曲げ片４１３とは折り曲げ罫線４１ｂを介して連接されている。また、折り曲げ片４１４は台紙本体４１１の前方に配置されており、台紙本体４１１と折り曲げ片４１３とは折り曲げ罫線４１ｃを介して連接されている。
【０１３４】
この台紙領域は、内容物Ｂを固定する領域である。すなわち、後述するように、台紙本体４１１の第一面側に内容物Ｂを載置し、この内容物Ｂを透明フィルムＣで被覆してその左右端をそれぞれ左右の折り曲げ片４１２，４１３に固定した後、折り曲げ罫線４１ａ，４１ｂで折り曲げて左右の折り曲げ片４１２，４１３を台紙本体４１１の第二面側に重ねることにより、透明フィルムＣの張力で内容物Ｂを台紙本体４１１の第一面側に押し付けて固定することができる。
【０１３５】
なお、図示のように、台紙本体４１１には透孔４１ｘが設けられている。この透孔４１ｘは、吊り下げ孔４０ｘを構成するものである。この吊り下げ孔４０ｘについては後述する。
【０１３６】
次に、第２の領域は台紙本体４１１と略同形同大の第二面側折り重ね領域４２１である。この第二面側折り重ね領域４２１と台紙本体４１１とは折り曲げ罫線４０ａを介して連接されている。この第二面側折り重ね領域４２１は、台紙本体４１１の第二面側に重ねられた左右の前記折り曲げ片４１２，４１３の上に重ねて、左右のこれら折り曲げ片４１２，４１３を固定する機能を有するものである。
【０１３７】
この第二面側折り重ね領域４２１には透孔４２ｘが設けられている。この透孔４２ｘは、前述の透孔４１ｘと共に後述する吊り下げ孔４０ｘを構成するもので、このため、折り曲げ罫線４０ａを対称軸として透孔４１ｘと線対称の位置に配置されている。
【０１３８】
また、第二面側折り重ね領域４２１には、係止用切込み４２ｙが設けられている。後述する係止用突起４４２をこの係止用切込み４２ｙに差し込むことにより、互いに分離困難に係止することができる。
【０１３９】
次に、第３の領域は端部保護領域である。前述のように、この端部保護領域は、台紙本体４１１と共に箱体を構成するものである。このため、端部保護領域は、箱体の前側側面
板４３４，後側側面板４３５，左右両側面板４３２，４３３と、天面板４３１を有して構成されている。
【０１４０】
前側側面板４３４は、折り曲げ罫線４０ｂを介して第二面側折り重ね領域４２１に連接されている。前側側面板４３４は、第二面側折り重ね領域４２１を間に介して、台紙本体４１１の反対側に配置されている。
【０１４１】
また、前側側面板４３４の左右には、それぞれ、折り曲げ罫線を介してフラップ４３４１，４３４２が連接されている。これらフラップ４３４１，４３４２は、端部保護領域を箱型に組み立てたとき、その角部を塞ぐ機能を有するものである。
【０１４２】
天面板４３１は台紙本体４１１と同形同大の長方形状で、折り曲げ罫線４３ｃを介して前側側面板４３４に連接されている。天面板４３１は、前側側面板４３４を間に介して、第二面側折り重ね領域４２１の反対側に配置されている。
【０１４３】
この天面板４３１には、観察用窓４３ｚが設けられている。端部保護領域を箱体に組み立てたとき、この観察用窓４３ｚが前記内容物Ｂの直上に位置し、このため、この観察用窓４３ｚを通して前記内容物Ｂを観察することができる。
【０１４４】
また、天面板４３１には、透孔４３ｘが設けられている。この透孔４３ｘは、前述の透孔４１ｘ，４２ｘと共に後述する吊り下げ孔４０ｘを構成するもので、このため、これら透孔４１ｘ，４２ｘに対応する位置に配置されている。
【０１４５】
後側側面板４３５は、折り曲げ罫線４３ｄを介して天面板４３１に連接されている。後側側面板４３５は、天面板４３１を間に介して、前側側面板４３４の反対側に配置されている。このため、台紙本体４１１、第二面側折り重ね領域４２１、前側側面板４３４、天面板４３１及び後側側面板４３５は、それぞれの間に折り曲げ罫線４０ａ，４０ｂ，４３ｃ，４３ｄを介して、一定方向に向かってこの順に並んでいる。
【０１４６】
また、後側側面板４３５の左右には、それぞれ、折り曲げ罫線を介してフラップ４３５１，４３５２が連接されている。これらフラップ４３５１，４３５２は、端部保護領域を箱型に組み立てたとき、その角部を塞ぐ機能を有するものである。
【０１４７】
また、左右両側面板４３２，４３３は、それぞれ、折り曲げ罫線４３ａ，４３ｂを介して、天面板４３１の左右に連接されている。
【０１４８】
この左側の側面板４３２には、さらにその左側に、折り曲げ罫線を介して、差込フラップ４３２１が連接されている。また、同様に右側の側面板４３３にも、さらにその右側に、折り曲げ罫線を介して、差込フラップ４３３１が連接されている。
【０１４９】
次に、第４の領域は固定領域である。この固定領域は、第二面側折り重ね領域４２１の折り重ねる上側折り重ね片４４１と、その端部に設けられた係止用突起４４２とで構成されている。上側折り重ね片４４１は折り曲げ罫線を介して後側側面板４３５に連接されている。なお、上側折り重ね片４４１と係止用突起４４２とは折り曲げ罫線を介して連接されているが、この折り曲げ罫線は係止用突起４４２を係止用切込み４２ｙに差し込む際の便宜のために設けたもので、必ずしも必要なものではない。
【０１５０】
次に、この具体例４に係る包装体４００の製造方法を説明する。
【０１５１】
すなわち、まず、ブランク４００Ａの台紙本体４１１の第一面側に内容物Ｂを載置する
。次に、この内容物Ｂを透明フィルムＣで被覆し、この透明フィルムＣの左右端をそれぞれ左側折り曲げ片４１２及び右側折り曲げ片４１３に固定する（図２１参照）。なお、図中、Ｃ１２，Ｃ１３はこの固定部を示している。
【０１５２】
次に、台紙本体４１１と左側折り曲げ片４１２との間の折り曲げ罫線４１ａで折り曲げ、左側折り曲げ片４１２を台紙本体４１１の第二面に密着して又は隙間を介して折り重ねる。また、同様に台紙本体４１１と右側折り曲げ片４１３との間の折り曲げ罫線４１ｂで折り曲げ、右側折り曲げ片４１３を台紙本体４１１の第二面に密着して又は隙間を介して折り重ねる。この工程によって、透明フィルムＣが引き伸ばされてその張力が増加し、固体内容物Ｂが台紙本体４１１の第一面側に押し付けられて固定される（図２２参照）。
【０１５３】
次に、台紙本体４１１と第二面側折り重ね領域４２１との間の折り曲げ罫線４０ａで折り曲げ、第二面側折り重ね領域４２１を台紙本体４１１の第二面に折り重ねることにより、台紙本体４１１と第二面側折り重ね領域４２１との間に左側折り曲げ片４１２及び右側折り曲げ片４１３を挟んで固定する（図２３参照）。
【０１５４】
なお、この工程によって、台紙本体４１１の透孔４１ｘと第二面側折り重ね領域４２１の透孔４２ｘとが互いに重なり合う。また、台紙本体４１１と前方折り曲げ片４１４との間の折り曲げ罫線４１ｃと、第二面側折り重ね領域４２１と前側側面板４３４との間の折り曲げ罫線４０ｂとが重なり合う。
【０１５５】
次に、第二面側折り重ね領域４２１と端部保護領域４３１との間の折り曲げ罫線４０ｂで折り曲げると共に、台紙本体４１１を底部として、天面板４３１、各側面板４３２〜４３５によって箱体に組み立てる。図２４は、この組み立て工程を示す斜視図である。
【０１５６】
すなわち、折り曲げ罫線４０ｂと折り曲げ罫線４１ｃとは重なっているから、この両罫線４０ｂ，４１ｃで折り曲げ、前方折り曲げ片４１４と前側側面板４３４とを重ね合わせたまま、これら前方折り曲げ片４１４と前側側面板４３４の両者を立ち上げる。また、前側側面板４３４と天面板４３１との間の折り曲げ罫線４３ｃで折り曲げる。この工程と同時に、前側側面板４３４の左右両側に連接されたフラップ４３４１，４３４２を箱体の内側に折り込む。これらフラップ４３４１，４３４２は前方折り曲げ片４１４の内側に折り込んでもよいが、前方折り曲げ片４１４と前側側面板４３４とに挟まれるように、これら前方折り曲げ片４１４と前側側面板４３４との間に折り込むことが望ましい。
【０１５７】
同様に、天面板４３１と後側側面板４３５の間の折り曲げ罫線４３ｄで折り曲げると共に、後側側面板４３５の左右両側に連接されたフラップ４３５１，４３５２を箱体の内側に折り込む。
【０１５８】
また、天面板４３１と左側側面板４３２との間の折り曲げ罫線４３ａで折り曲げると共に、この左側側面板４３２に連接された差込フラップ４３２１を箱体の内側に折り込む。差込フラップ４３２１は、台紙本体４１１と第二面側折り重ね領域４２１との間に差し込んで固定することが望ましい。そして、同様に、天面板４３１と右側側面板４３３との間の折り曲げ罫線４３ｂで折り曲げ、また、右側側面板４３３に連接された差込フラップ４３３１を箱体の内側に折り込むと共に、この差込フラップ４３３１を台紙本体４１１と第二面側折り重ね領域４２１との間に差し込んで固定する。
【０１５９】
この工程によって、箱体を組み立てることができる。この箱体の底部は、台紙本体４１１と第二面側折り重ね領域４２１とが重なって構成されており、この両者の間に差込フラップ４３２１，４３３１が差し込まれて固定されている。そして、この底部の四周で後側側面板４３５、前側側面板４３４及び左右の側面板４３２，４３３が立ち上がり、その天部を天面板４３１が覆っている。天面板４３１には観察用窓４３ｚが設けられているから、この観察用窓４３ｚを通して、内容物Ｂを透視することができる。
【０１６０】
また、天面板４３１の透孔４３ｘは、透孔４１ｘ，４２ｘに対応して、その直上に位置する。これら透孔４３ｘ，４１ｘ，４２ｘは吊り下げ孔４０ｘとして利用することができる。
【０１６１】
最後に、後側側面板４３１と上側折り重ね片４４１との間の折り曲げ罫線で折り曲げて上側折り重ね片４４１を箱体の底部外側、すなわち、第二面側折り重ね領域４２１に重ね、係止用突起４４２を係止用切込み４２ｙに差し込むことにより、包装体４００を組み立てることができる。
【０１６２】
図２５はこうして製造された包装体４００を示しており図２５（ａ）は上方から見た包装体４００の斜視図、図２５（ｂ）は下方から見た包装体４００の斜視図である。
【０１６３】
この包装体４００においては、箱体の天面中央に観察用窓４３ｚが開口しているが、この箱体を破壊しない限り、ブランク４００Ａと透明フィルムＣとの間の隙間に触れることができない。このため、この隙間から異物を混入したり、内容物Ｂを不正に取り出すことができない。
【０１６４】
なお、箱体の天面板４３１に観察用窓４３ｚが設けられており、この観察用窓４３ｚと透明フィルムＣを通して内容物Ｂを観察することができるから、この包装体４００を店頭で陳列した場合にも、その内容物Ｂを見ることが可能である。
【０１６５】
また、吊り下げ孔４０ｘを利用して吊り下げ展示することも可能である。
【０１６６】
また、前述のように、台紙領域、第二面側折り重ね領域４２１及び端部保護領域が、折り曲げ罫線４０ａ，４０ｂを介して、一定方向に向かってこの順に連接されたブランク４００Ａを使用して構成されているから、その組み立てにあたって、一定の方向に折り曲げるだけで組み立てることができる。
【０１６７】
（具体例５）
この具体例は、台紙領域と端部保護領域とで箱体を構成したもので、台紙領域を箱体の底部を構成する区域と箱体から外部に突出した区域とに区分して、この突出部位に吊り下げ孔を設けた例である。
【０１６８】
なお、この具体例において、「第一面側」はブランク５００Ａの両面のうち、固体内容物Ｂを載置する載置面を有する面を意味し、「第二面側」はその反対面を意味する。「前後」「左右」については、以下の説明及び図面から明らかと考えられる。
【０１６９】
なお、説明の便宜上、まず、ブランク５００Ａについて説明する。図２６は、この具体例５で使用するブランク５００Ａの平面図である。
【０１７０】
このブランク５００Ａは、その機能に応じて４種類の領域に区分することができる。
【０１７１】
第１の領域は長方形状の台紙領域である。この領域は、台紙本体５１１と３つの折り曲げ片５１２，５１３，５１４とを備えて構成されている。
【０１７２】
この台紙本体５１１は、さらに２つの区域に区分されている。第１の区域は、内容物Ｂを固定すると共に、前記箱体を構成した際にその箱体の底部を構成する区域（箱体構成区
域）５１１（ａ）であり、第２の区域は前記箱体を構成した際にその箱体の外部に突出した区域（突出区域）５１１（ｂ）である。図２６では、これら両区域の境界を一点鎖線で示しているが、この線は説明の便宜上表示した仮想的な線である。
【０１７３】
この図から分かるように、箱体構成区域５１１（ａ）は、台紙本体５１１のうち前側に設けられている。この箱体構成区域５１１（ａ）は、内容物Ｂを固定する領域である。すなわち、後述するように、箱体構成区域５１１（ａ）の第一面側に内容物Ｂを載置し、この内容物Ｂを透明フィルムＣで被覆してその左右端をそれぞれ左右の折り曲げ片５１２，５１３に固定した後、折り曲げ罫線５１ａ，５１ｂで折り曲げて左右の折り曲げ片５１２，５１３を箱体構成区域５１１（ａ）の第二面側に重ねることにより、透明フィルムＣの張力で内容物Ｂを箱体構成区域５１１（ａ）の第一面側に押し付けて固定することができる。
【０１７４】
一方、突出区域５１１（ｂ）は後方に設けられており、折り曲げ罫線５０ａを介して後述する第二面側折り重ね領域５２１に接している。この区域５１１（ｂ）は箱体の外部に突出して吊り下げ孔５０ｘを構成する区域である。このため、この突出区域５１１（ｂ）には透孔５１ｘが設けられている。
【０１７５】
次に、３つの折り曲げ片５１２，５１３，５１４のうち、２つの折り曲げ片５１２，５１３は、それぞれ、箱体構成区域５１１（ａ）の左右に配置されており、箱体構成区域５１１（ａ）と左側の折り曲げ片５１２とは折り曲げ罫線５１ａを介して連接されており、箱体構成区域５１１（ａ）と右側の折り曲げ片５１３とは折り曲げ罫線５１ｂを介して連接されている。また、折り曲げ片５１４は箱体構成区域５１１（ａ）の前方に配置されており、箱体構成区域５１１（ａ）と折り曲げ片５１３とは折り曲げ罫線５１ｃを介して連接されている。
【０１７６】
次に、第２の領域は台紙本体５１１と略同形同大の第二面側折り重ね領域５２１である。この第二面側折り重ね領域５２１と台紙本体５１１の突出区域５１１（ｂ）とは折り曲げ罫線５０ａを介して連接されている。
【０１７７】
この第二面側折り重ね領域５２１も、さらに２つの区域に区分されている。第１の区域は、台紙本体５１１の箱体構成区域５１１（ａ）の第二面側に重ねられた左右の前記折り曲げ片５１２，５１３の上に重ねて、左右のこれら折り曲げ片５１２，５１３を固定する機能を有し、併せて、台紙本体５１１の箱体構成区域５１１（ａ）と共に、その箱体の底部を構成する区域（箱体構成区域）５２１（ａ）であり、第２の区域は前記箱体を構成した際にその箱体の外部に突出した区域（突出区域）５２１（ｂ）である。図２６では、これら両区域の境界を一点鎖線で示しているが、この線も説明の便宜上表示した仮想的な線である。
【０１７８】
突出区域５２１（ｂ）は、台紙本体５１１の突出区域５１１（ｂ）に重ねて、この両突出区域５１１（ｂ），５２１（ｂ）で吊り下げ孔５０ｘを構成するものである。このため、突出区域５２１（ｂ）は透孔５２ｘが設けられている。そして、同じ理由から、この両突出区域５１１（ｂ），５２１（ｂ）は互いに同形同大であり、折り曲げ罫線５０ａを介して連接されている。また、台紙本体５１１の透孔５１ｘと第二面側折り重ね領域５２１の透孔５２ｘとは、折り曲げ罫線５０ａを対称軸として、線対称の位置に配置されている。
【０１７９】
次に、前述のように、箱体構成区域５２１（ａ）は、台紙本体５１１の箱体構成区域５１１（ａ）の第二面側に重ねられた左右の前記折り曲げ片５１２，５１３の上に重ねて、左右のこれら折り曲げ片５１２，５１３を固定する機能を有するものであり、このため、
箱体構成区域５２１（ａ）は台紙本体５１１の箱体構成区域５１１（ａ）と同形同大に構成されている。そして、これら両箱体構成区域５１１（ａ），５２１（ａ）も、折り曲げ罫線５０ａを対称軸として、線対称の位置に配置されている。
【０１８０】
箱体構成区域５２１（ａ）には、その左右にフラップ５２１１，５２１２が設けられている。これらフラップ５２１１，５２１２は、後述する箱体を構成したとき、左右の側面板５３２，５３３の内側に配置して箱体を補強すると共に、左右の側面板５３１，５３２に連接されたフラップ５３２１，５３２２，５３３１，５３３２を内側から前後の側面板５３４，５３５に押し付けて、箱体の形状安定性を確保するものである。
【０１８１】
なお、箱体構成区域５２１（ａ）と右側のフラップ５２１１とは、折り曲げ罫線５２ａを介して連接されている。同様に、箱体構成区域５２１（ａ）と左側のフラップ５２１２とは、折り曲げ罫線５２ｂを介して連接されている。
【０１８２】
次に、第３の領域は端部保護領域である。前述のように、この端部保護領域は、両箱体構成区域５１１（ａ），５２１（ａ）と共に箱体を構成するものである。このため、端部保護領域は、箱体の前側側面板５３４，後側側面板５３５，左右両側面板５３２，５３３と、天面板５３１を有して構成されている。また、左右両側面板５３２，５３３には、それぞれ、その前後にフラップ５３２１，５３２２，及び５３３１，５３３２が連接されている。
【０１８３】
前側側面板５３４は、折り曲げ罫線５０ｂを介して第二面側折り重ね領域５２１の箱体構成区域５２１（ａ）に連接されている。前側側面板５３４は、第二面側折り重ね領域５２１を間に介して、台紙本体５１１の反対側に配置されている。
【０１８４】
天面板５３１は両箱体構成区域５１１（ａ），５２１（ａ）と同形同大で、折り曲げ罫線５３ｃを介して前側側面板５３４に連接されている。天面板５３１は、前側側面板５３４を間に介して、第二面側折り重ね領域５２１の反対側に配置されている。
【０１８５】
この天面板５３１には、観察用窓５３ｚが設けられている。端部保護領域を箱体に組み立てたとき、この観察用窓５３ｚが前記内容物Ｂの直上に位置し、このため、この観察用窓５３ｚを通して前記内容物Ｂを観察することができる。
【０１８６】
後側側面板５３５は、折り曲げ罫線５３ｄを介して天面板５３１に連接されている。後側側面板５３５は、天面板５３１を間に介して、前側側面板５３４の反対側に配置されている。このため、台紙本体５１１、第二面側折り重ね領域５２１、前側側面板５３４、天面板５３１及び後側側面板５３５は、それぞれの間に折り曲げ罫線５０ａ，５０ｂ，５３ｃ，５３ｄを介して、一定方向に向かってこの順に並んでいる。
【０１８７】
また、左右両側面板５３２，５３３は、それぞれ、折り曲げ罫線５３ａ，５３ｂを介して、天面板５３１の左右に連接されている。
【０１８８】
前述のように、左側側面板５３２の前後にはフラップ５３２１，５３２２が連接されている。同様の右側側面板５３３の前後にはフラップ５３３１，５３３２が連接されている。
【０１８９】
次に、第４の領域は固定領域である。この第４の領域は差込片５４１で構成されており、折り曲げ罫線を介して、後側側面板５３５の後方に連接されている。
【０１９０】
次に、この具体例５に係る包装体５００の製造方法を説明する。
【０１９１】
すなわち、まず、ブランク５００Ａの台紙本体５１１の箱体構成区域５１１（ａ）の第一面側に内容物Ｂを載置する。
【０１９２】
次に、この内容物Ｂを透明フィルムＣで被覆し、この透明フィルムＣの左右端をそれぞれ左側折り曲げ片５１２及び右側折り曲げ片５１３に固定する（図２７参照）。なお、図中、Ｃ１２，Ｃ１３はこの固定部を示している。
【０１９３】
次に、箱体構成区域５１１（ａ）と左側折り曲げ片５１２との間の折り曲げ罫線５１ａで折り曲げ、左側折り曲げ片５１２を箱体構成区域５１１（ａ）の第二面に密着して又は隙間を介して折り重ねる。また、同様に箱体構成区域５１１（ａ）と右側折り曲げ片５１３との間の折り曲げ罫線５１ｂで折り曲げ、右側折り曲げ片５１３を箱体構成区域５１１（ａ）の第二面に密着して又は隙間を介して折り重ねる。この工程によって、透明フィルムＣが引き伸ばされてその張力が増加し、固体内容物Ｂが箱体構成区域５１１（ａ）の第一面側に押し付けられて固定される（図２８参照）。
【０１９４】
次に、台紙本体５１１と第二面側折り重ね領域５２１との間の折り曲げ罫線５０ａで折り曲げ、第二面側折り重ね領域５２１を台紙本体５１１の第二面に折り重ねる。
【０１９５】
この工程により、台紙本体５１１の箱体構成区域５１１（ａ）と第二面側折り重ね領域５２１の箱体構成区域５２１（ａ）とが重ねられ、これら両箱体構成区域５１１（ａ），５２１（ａ）との間に左側折り曲げ片５１２及び右側折り曲げ片５１３を挟んで固定することができる（図２９参照）。
【０１９６】
また、この工程によって、台紙本体５１１の突出区域５１１（ｂ）と第二面側折り重ね領域５２１の突出区域５１１（ｂ）とが重ねられ、両透孔４１ｘ，４２ｘも互いに重なり合う。
【０１９７】
また、この工程によって、台紙本体５１１と前方折り曲げ片５１４との間の折り曲げ罫線５１ｃと、第二面側折り重ね領域５２１と前側側面板５３４との間の折り曲げ罫線５０ｂとが重なり合う。
【０１９８】
次に、第二面側折り重ね領域５２１と端部保護領域５３１との間の折り曲げ罫線５０ｂで折り曲げると共に、両箱体構成区域５１１（ａ）を底部として、天面板５３１、各側面板５３２〜５３５によって箱体に組み立てる。図３０は、この組み立て工程を示す斜視図である。
【０１９９】
すなわち、まず、折り曲げ罫線５２ａ，５２ｂで折り曲げて、第二面側折り重ね領域５２１の箱体構成区域５１２（ａ）から、その左右に連接されたフラップ５２１１，５２１２の両者を立ち上げる。次に、折り曲げ罫線５１ｃで折り曲げて、前方折り曲げ片５１４を立ち上げる。
【０２００】
次に、端部保護領域の左側側面板５３２の前側に連接されたフラップ５３２１と右側側面板５３３の前側に連接されたフラップ５３３１の両者を箱体の内側に折り込み、第二面側折り重ね領域５２１と端部保護領域の前側側面板５３４との間の折り曲げ罫線５０ｂ、及び前側側面板５３４と天面板５３１との間の折り曲げ罫線５３ｃで折り曲げて、一方が開口した箱体を形成する。なお、この工程では、第二面側折り重ね領域５２１のフラップ５２１１，５２１２が左右の両側面板５３２，側面板５３３の内側に位置するように構成する。
【０２０１】
一方が開口したこの箱体の開口部には、後側側面板５３５が面しているから、最後に、左側側面板５３２の後側に連接されたフラップ５３２２と右側側面板５３３の後側に連接されたフラップ５３３２の両者を箱体の内側に折り込み、天面板５３１と後側側面板５３５との間の折り曲げ罫線５３ｄ、及び後側側面板５３５と差込片５４１との間の折り曲げ罫線で折り曲げて、差込片５４１を箱体内部に差し込むことにより、包装体５００を組み立てることができる（図３１参照）。
【０２０２】
この包装体５００は、箱体から両突出区域５１１（ｂ），５２１（ｂ）が突出した構造を有している。これら両突出区域５１１（ｂ），５２１（ｂ）は互いに重ね合わされており、その透孔５１ｘ，５２ｘも重ね合わされているから、これら両透孔５１ｘ，５２ｘで構成された透孔を吊り下げ孔５０ｘとして利用することができる。
【０２０３】
また、その箱体の底部は、両箱体構成区域５１１（ａ），５２１（ａ）が重なって構成されており、この底部の四周で後側側面板５３５、前側側面板５３４及び左右の側面板５３２，５３３が立ち上がり、その天部を天面板５３１が覆っている。天面板５３１には観察用窓５３ｚが設けられているから、この観察用窓５３ｚを通して、内容物Ｂを透視することができる。
【０２０４】
この包装体５００においては、箱体の天面中央に観察用窓５３ｚが開口しているが、この箱体を破壊しない限り、ブランク５００Ａと透明フィルムＣとの間の隙間に触れることができない。このため、この隙間から異物を混入したり、内容物Ｂを不正に取り出すことができない。
【０２０５】
また、前述のように、台紙領域、第二面側折り重ね領域５２１及び端部保護領域が、折り曲げ罫線５０ａ，５０ｂを介して、一定方向に向かってこの順に連接されたブランク５００Ａを使用して構成されているから、その組み立てにあたって、一定の方向に折り曲げるだけで組み立てることができる。
【符号の説明】
【０２０６】
１００：包装体    １００Ａ：ブランク    １０ｘ：吊り下げ孔
１１１：台紙本体    １１２：左側折り曲げ片    １１３：右側折り曲げ片    １１ｘ：透孔
１２１：第二面側折り重ね領域    １２ｘ：透孔    １２ｙ：係止用切込み
１３１：端部保護領域    １３ｘ：透孔    １３ｚ：観察用窓
１４１：上側折り重ね片    １４２：係止用突起    １４ｘ：透孔
２００：包装体    ２００Ａ：ブランク    ２０ｘ：吊り下げ孔
２１１：第１の台紙本体    ２１２：左側折り曲げ片    ２１３：右側折り曲げ片    ２１ｘ：透孔    ２１ｙ：係止用切込み
２１１’：第２の台紙本体    ２１２’：左側折り曲げ片    ２１３’：右側折り曲げ片    ２１ｘ’：透孔
２２１：第二面側折り重ね領域    ２２ｘ：透孔    ２２ｚ：観察用窓
２３１：端部保護領域    ２３２：係止用突起    ２３ｘ：透孔    ２３ｚ：観察用窓３００：包装体    ３００Ａ：ブランク    ３０ｘ：吊り下げ孔
３１１：台紙本体    ３１２：左側折り曲げ片    ３１３：右側折り曲げ片    ３１４：前方折り曲げ片３１４    ３１５：フラップ    ３１６：フラップ    ３１ｘ：透孔
３２１：第二面側折り重ね領域    ３２２：フラップ    ３２３：フラップ    ３２ｘ：透孔    ３２ｙ：係止用切込み
３３１：天面板    ３３ｘ：透孔    ３３ｚ：観察用窓
３３２：左側側面板
３３３：右側側面板
３３４：前側側面板    ３３４１：フラップ    ３３４２：フラップ
３３５：後側側面板    ３３５１：フラップ    ３３５２：フラップ
３４１：上側折り重ね片    ３４２：係止用突起
４００：包装体    ４００Ａ：ブランク    ４０ｘ：吊り下げ孔
４１１：台紙本体    ４１２：左側折り曲げ片    ４１３：右側折り曲げ片    ４１４：前側折り曲げ片    ４１ｘ：透孔
４２１：第二面側折り重ね領域    ４２ｘ：透孔    ４２ｙ：係止用切込み
４３１：天面板    ４３ｘ：透孔    ４３ｚ：観察用窓
４３２：左側側面板    ４３２１：差込フラップ
４３３：右側側面板    ４３３１：差込フラップ
４３４：前側側面板    ４３４１：フラップ    ４３４２：フラップ
４３５：後側側面板    ４３５１：フラップ    ４３５２：フラップ
４４１：上側折り重ね片    ４４２：係止用突起
５００：包装体    ５００Ａ：ブランク    ５０ｘ：吊り下げ孔
５１１：台紙本体
５１１（ａ）：箱体構成区域
５１１（ｂ）：突出区域    ５１ｘ：透孔
５１２：左側折り曲げ片
５１３：左側折り曲げ片
５１４：前側折り曲げ片
５２１：二面側折り重ね領域
５２１（ａ）：箱体構成区域    ５２１１：フラップ    ５２１２：フラップ
５２１（ｂ）：突出区域    ５２ｘ：透孔
５３１：天面板    ５３ｚ：観察用窓
５３２：左側側面板    ５３２１：フラップ    ５３２２：フラップ
５３３：右側側面板    ５３３１：フラップ    ５３３２：フラップ
５３４：前側側面板
５３５：後側側面板
５４１：差込片
Ｂ，Ｂ’：内容物
Ｃ，Ｃ’：透明フィルム
【図１】
2020093811.tif 000003
【図２】
2020093811.tif 000004
【図３】
2020093811.tif 000005
【図４】
2020093811.tif 000006
【図５】
2020093811.tif 000007
【図６】
2020093811.tif 000008
【図７】
2020093811.tif 000009
【図８】
2020093811.tif 000010
【図９】
2020093811.tif 000011
【図１０】
2020093811.tif 000012
【図１１】
2020093811.tif 000013
【図１２】
2020093811.tif 000014
【図１３】
2020093811.tif 000015
【図１４】
2020093811.tif 000016
【図１５】
2020093811.tif 000017
【図１６】
2020093811.tif 000018
【図１７】
2020093811.tif 000019
【図１８】
2020093811.tif 000020
【図１９】
2020093811.tif 000021
【図２０】
2020093811.tif 000022
【図２１】
2020093811.tif 000023
【図２２】
2020093811.tif 000024
【図２３】
2020093811.tif 000025
【図２４】
2020093811.tif 000026
【図２５】
2020093811.tif 000027
【図２６】
2020093811.tif 000028
【図２７】
2020093811.tif 000029
【図２８】
2020093811.tif 000030
【図２９】
2020093811.tif 000031
【図３０】
2020093811.tif 000032
【図３１】
2020093811.tif 000033
【図３２】
2020093811.tif 000034